(57)【特許請求の範囲】
【請求項１】
銑鉄、溶鋼等の冶金処理用の容器（１）であって、この容器は、間隔（２）を空けて配置された支持リング（３）上に支持されており、この支持リングは、両側のピボット軸受のピボットを用いて傾斜させることが可能であり、その際容器壁（１ｂ）の周囲に渡って分布させた爪（６）が、支持リング（３）の上部フランジ（３ａ）上に置かれ、この支持リング（３）の上部フランジ（３ａ）上に置かれた爪（６）を固定するための支持形態（４）が、解除可能な形で構成されている容器において、
この支持形態（４）は、それぞれ隣接する二つの爪（６）毎にその一方の爪（６）に対して配備されるとともに、爪（６）を延長した部材である、支持リング（３）の上部フランジ（３ａ）と対向する容器・ブラケット（７）と、支持リング（３）の上部フランジ（３ａ）上に配設された支持リング・ブラケット（８）とで構成されており、これらのブラケットは、蝶番式固定器（９）を用いて、固定方向（１０）に対しては固定位置（１１）にまで互いに締め付けることが可能であり、その反対の操作方向（１２）に対しては解除することが可能であることと、
この蝶番式固定器（９）は、容器・ブラケット（７）を包囲するクランプクリップ（１３）と操作レバー（１４）とで構成され、このクランプクリップ（１３）は、転回可能な形で操作レバー（１４）にピボットで軸支されており、その際この操作レバー（１４）は、その上方の端部（１４ａ）を転回可能な形で支持リング・ブラケット（８）にピボットで軸支されていることと、
固定方向（１０）において、当該のクランプクリップ（１３）は、容器・ブラケット（７）を包囲して、支持リング（３）の外側の周回面（３ｃ）上の固定位置（１１）に有ることと、
この操作レバー（１４）は、クランプクリップ（１３）の両側に配置されたロックボルト（１５）を用いてロックされることと、
を特徴とする容器。
【請求項２】
当該の容器（１）が転炉容器（１ａ）であることを特徴とする請求項１に記載の容器。
【請求項３】
当該の操作レバー（１４）を支持リング（３）の周回面（３ｃ）から外側に解除動作させる間に、当該のクランプクリップ（１３）は、容器・ブラケット（７）の上を解除位置（１６）にまで転回することが可能であることを特徴とする請求項１又は２に記載の容器。
【請求項４】
当該の容器・ブラケット（７）は、その側面の輪郭（７ａ）において、下方の凹み（７ｂ）を形成しており、その凹みの中に、当該の支持リング・ブラケット（８）が隙間を空けて配置されていることを特徴とする請求項１から３までのいずれか一つに記載の容器。
【請求項５】
当該の容器・ブラケット（７）は、横方向に対して一定の決まった間隔（７ｃ）を空けて配置された二つのブラケット板（１７）で構成されることを特徴とする請求項１から４までのいずれか一つに記載の容器。
【請求項６】
当該の容器・ブラケット（７）は、相応の厚さを有する単一のブラケット板（１８）で構成されることを特徴とする請求項１から４までのいずれか一つに記載の容器。
【請求項７】
当該の支持リング・ブラケット（８）は、相応の寸法を有する単一のブラケット板（１９）で構成されることを特徴とする請求項１から６までのいずれか一つに記載の容器。
【請求項８】
当該の操作レバー（１４）は、間隔を空けた平行な二つのレバー継手（２１）で構成されており、これらのレバー継手は、当該のピボット軸受（２２）を形成する、横方向に延びる間隔保持用部材（２０）を用いて連結されていることを特徴とする請求項１から７までのいずれか一つに記載の容器。
【請求項９】
当該のクランプクリップ（１３）は、間隔を空けた平行な二つのクランプ継手（１３ａ；１３ａ）で構成されており、これらのクランプ継手（１３ａ；１３ａ）の端部は、横方向に延びる間隔保持用部材（２０）を用いて、間隔を空けた平行なレバー継手（２１）と転回可能な形で連結されており、その際間隔保持用部材（２０）が、レバー継手（２１）に取り付けられて、そのピボット軸受（２２）を形成していることを特徴とする請求項８に記載の容器。
【請求項１０】
当該の間隔を空けた平行な容器・ブラケット（７）の間及び間隔を空けた二つの支持リング・ブラケット板（８ａ）の間に延びる、ハンマーヘッド（２５）を有するロックレバー棒（２４）でロック部材（２３）を形成し、このロックレバー棒は、当該の二つのレバー継手（２１）を連結するピボット軸受（２２）と接続されていることを特徴とする請求項１から５及び７のいずれか一つに記載の容器。
【請求項１１】
当該のロックレバー棒（２４）は、二つの支持リング・ブラケット板（８ａ）の間を延び、容器・ブラケット（７）を包囲する、閉じた楕円形のクランプクリップ（２６）を形成することを特徴とする請求項１から６及び８から１０までのいずれか一つに記載の容器。
【発明の詳細な説明】
【技術分野】
【０００１】
この発明は、銑鉄、溶鋼等の冶金処理用の容器、特に転炉容器に関し、この容器は、間隔を空けて配置された支持リング上に支持されており、この支持リングは、両側のピボット軸受のピボットを用いて傾斜させることが可能であり、その際容器壁の周囲に渡って分布させた爪が、支持リングの上部フランジ上に置かれており、かつこの支持リングの上部フランジ上の支持形態は、追加の固定部材を用いて、解除可能な形で構成されている。
【背景技術】
【０００２】
部品を簡単な手段で交換することが可能であり、そのために容器の爪と支持リング間及び案内部と追加の固定部材間の連結を解除することが可能なようにした、凡そ前述した構成の転炉容器を実現するとの課題は、周知である（特許文献１）。しかし、それには、高温の転炉容器の条件のもとで、この解除と交換した容器の再固定を実行するために好適な手段が欠けている。
【０００３】
実際には、冶金処理用容器は、内張りの摩滅が比較的大きい故に、生産中断時間を短く抑えるためには、素早く交換する必要がある。
【０００４】
従来、そのベースとなるものは、例えば締め付け用フェルール、蝶番で動かすことが可能なフェルール、及び相応の操作部を有する挟持機構などの、上部を開放された案内部の爪に掛ける固定部材として形成されており、これらは、すべて前述した欠点を有し、ただ非常に取り扱いが難しく、その取り扱いには、時間を要しすぎるものである。更に、作業上必要となる容器の加熱のために、個々の部品には熱膨張が起こり、それが固定部材の解除を難しくしている。その上、作業者は、周囲の温度が上昇した中で、最接近した位置から解除及び交換作業を実行しなければならない。比較的狭隘であり入り難いために、相応の器具を用いてターンバックルを解除するのは、相当に骨の折れる作業である。
【特許文献１】ドイツ特許出願第１９９２８１９５号公報
【発明の開示】
【発明が解決しようとする課題】
【０００５】
この発明の課題は、前記の欠点を持たず、素早く、容易に、かつ十分な間隔を空けて操作可能な手段を提案することである。
【課題を解決するための手段】
【０００６】
この設定された課題は、この発明にもとづき、支持リングの上部フランジ上の支持形態が、それぞれ対向する容器・ブラケットと支持リング・ブラケットで構成され、これらのブラケットが、蝶番式固定器を用いて、固定方向には確実な固定位置にまで互いに締め付けることが可能であり、その反対の操作方向には容易に解除することが可能であることによって解決される。固定された状態には、操作部材を、所謂死点を超えて動かして、自己ロックした、確実にロックされた位置に持って行くことができる。周囲に分布させたブラケットは、支持リング形状に応じて、対称形又は非対称形に配置することが可能であり、このような素早い固定装置に対する装着位置として機能する。出来上がったレバー機構は、締め付け間隔に適合しており、傾斜姿勢においても、容器を確実に支持することを保証するものである。更に、この蝶番式固定器は、手動で装着する油圧式の取扱機器を用いて、容易かつ確実に固定位置又は解除位置に押し動かすことができる。従って、解除するためには、同じ補助機器を使用することができる。この場合、先ずは死点から脱却させて、解除位置にまで持って行く。
【０００７】
詳細には、この蝶番式固定器は、容器・ブラケットを包囲するクランプクリップで構成され、このクランプクリップは、転回可能な形で操作レバーにピボットで軸支されており、その際この操作レバーは、その上方の端部を転回可能な形で支持リング・ブラケットにピボットで軸支されているものと規定する。また、そうすることによって、固定位置にするのに、小さい負担しかかからない。
【０００８】
この構成は、固定方向では、クランプクリップが容器・ブラケットを包囲して、支持リングの外側の周回面上に有ることと、クランプクリップの両側に配置されたロックボルトで、この操作レバーをロックすることとによって改善される。支持リング上の操作レバーを押し戻すことは、支持リングを外すように作用し、容器を取り外すために、容器・ブラケットを解除するものである。このような操作メカニズムは、その他の従来から有る球面の座り部分を有するシム部材及びそのような部品の相応の取り扱いを節約するものである。作業者にとって、この素早く交換するための固定機構に接近するのに少ない労力と比較的短い時間しか必要ではない。
【０００９】
容器の解除は、操作レバーを支持リングの周回面から外側に解除する方に動かす間に、クランプクリップを容器・ブラケット上を解除位置にまで転回可能とすることによって、簡単な方法で実現することができる。
【００１０】
この場合、この構造は、容器・ブラケットが、側面の輪郭において下方の凹みを形成し、その凹みの中に僅かな隙間を空けて支持リング・ブラケットを配置することによって実現される。そうすることによって、非常に小さな空間しか使われないこととなる。
【００１１】
容器・ブラケットと支持リング・ブラケットの数は、（完全なリングであれ、部分リングであれ）支持リングの形状に準拠させることができる。更に、蝶番式固定器は、上部フランジ上で、外側に又は間隔を空けて、支持リングと容器の間に配置することができる。
【００１２】
これに代わる実施形態は、先ず、この容器・ブラケットを、横方向に対して一定の決まった間隔で配置された二つのブラケット板で構成することによって実現される。
【００１３】
第二の代替の実施構成は、この容器・ブラケットを、相応の厚さを有する単一のブラケット板で構成することである。
【００１４】
これらの二つの構成と同様に、支持リング・ブラケットは、相応の寸法を有する単一のブラケット板で構成される。
【００１５】
これに付属するレバー機構は、改善構成では、クランプクリップを、間隔を空けた平行な二つのクランプ継手で構成し、これらのクランプ継手は、その端部を横方向に延びる間隔保持用部材を用いて連結されるか、或いは間隔を空けた支持リング・ブラケットと転回可能な形で連結され、その際中間に有る厚い支持リング・ブラケットの間隔保持用部材が、操作レバー用のレバー継手に取り付けられて、そのピボット軸受を形成するように構成されている。このことからは、複数の代替の構造だけでなく、部品を経済的に製造することも得られる。
【００１６】
このクランプクリップの構成と同様に、操作レバーは、間隔を空けた平行な二つのレバー継手で構成され、これらのレバー継手は、ピボット軸受を形成して、横方向に延びる間隔保持用部材を用いて連結されている。
【００１７】
別の実施構成は、間隔を空けた平行な容器・ブラケットの間又は間隔を空けた支持リング・ブラケット板の間に延びる、ハンマーヘッドを有するロックレバー棒でロック部材を形成し、このロックレバー棒は、二つのレバー継手を連結するピボット軸受と接続されており、二つの支持リング・ブラケット板の間を延びているものと規定する。
【００１８】
別の特徴では、このロックレバー棒は、二つの支持リング・ブラケット板の間を延びて、容器・ブラケットを包囲する閉じた楕円形のクランプクリップを形成するものと規定する。
【発明を実施するための最良の形態】
【００１９】
以下においては、この発明の実施例を図面に描いて、より詳しく説明する。
【００２０】
例えば転炉容器１ａで構成される、容器１は、溶融物の冶金処理、例えば銑鉄又は溶鋼の精錬に利用される。この容器１は、間隔２を空けて支持リング３に、つまり容器壁１ｂの周囲に渡って分布させた爪６とこれらの間又はこれらに取り付けた支持形態４によって支持される。これらの支持形態４は、追加の固定部材で構成されている。この支持リング３は、上部フランジ３ａと下部フランジ３ｂを形成しており、容器１の爪６を支持している。これらの爪６は、上方に関しては開放されており、側方に関しては容器案内部５を形成する案内壁５ａの間に有る。
【００２１】
それぞれ隣接する二つの爪６の間には、追加の固定部材が配備されている。そこには、その周囲に渡って相応に分布させた複数の容器・ブラケット７が容器壁１ｂ上に有る。支持リング３の上部フランジ３ａ上には、同様の支持リング・ブラケット８が設けられている。
【００２２】
各支持形態４は、支持リング３の上部フランジ３ａ上において、それぞれ対向する容器・ブラケット７と支持リング・ブラケット８で構成されており（図１）、これらのブラケットは、更に詳しくは述べない蝶番式固定器９を用いて、固定方向１０に対しては、確実な固定位置１１にまで互いに締め付けることが可能であり、その反対の操作方向１２に対しては、容易に解除することが可能である。
【００２３】
この場合、この蝶番式固定器９（図３は約半分解除された状態を示す）は、容器・ブラケット７を包囲するクランプクリップ１３で構成されており、このクランプクリップは、転回可能な形で操作レバー１４にピボットで軸支されており、その際この操作レバー１４は、その上方の端部１４ａを転回可能な形で支持リング・ブラケット８にピボットで軸支されている。固定位置１１では、クランプクリップ１３は、容器・ブラケット７を包囲して、支持リング３の外側の周回面３ｃ上に有って（図１）、ロックボルト１５を用いてロックされており、これらのロックボルトは、クランプクリップ１３の両側にあるクランプ継手１３ａ，１３ａに取り付けられている。
【００２４】
図３と４のとおり、クランプクリップ１３は、反対の操作方向１２への解除動作と固定位置１１に戻す間に、容器・ブラケット７の上を超えて移動し、その際操作レバー１４は、先ず支持リング３の外側の周回面３ｃから離されて（図３）、次に再び近付けられる（図４）。そうすることによって、解除位置１６とされる。
【００２５】
コンパクトな構造と出来る限り短いレバー操作動線のために、容器・ブラケット７は、側面の輪郭７ａにおいて、下方の凹み７ｂを形成して、その中に僅かな隙間を空けて支持リング・ブラケット８を配置する。
【００２６】
図５〜８には、容器・ブラケット７、支持リング・ブラケット８及びクランプクリップ１３に関する様々な代替形態が図示されている。
【００２７】
図５では、容器・ブラケット７は、横方向に対して一定の決まった間隔７ｃを空けて配置された二つのブラケット板１７で構成されている。
【００２８】
それに対して、図７では、容器・ブラケット７は、相応の厚さを有する単一のブラケット板１８で構成されている。
【００２９】
これと同様に、図５では、支持リング・ブラケット８は、相応の厚さを有する単一のブラケット板１９で構成されている。
【００３０】
クランプクリップ１３（図５と７）は、間隔を空けた平行な二つのクランプ継手１３ａと１３ａで形成されており、これらのクランプ継手は、それらの端部１３ｂを横方向に延びる間隔保持用部材２０を用いて連結されている。
【００３１】
図６と８では、間隔を空けた支持リング・ブラケット板８ａを配備している。この支持リング・ブラケット板８ａには、クランプクリップ１３を転回させるための、操作レバー１４に対するピボット軸受２２を配備することもできる。中間に有る厚い支持リング・ブラケット板１９には、ピボット軸受２２用の間隔保持用部材２０を配備しており、この間隔保持用部材は、操作レバー１４用のレバー継手２１に取り付けられている。
【００３２】
図５，６，７及び８では、操作レバー１４は、それぞれ間隔を空けた平行な二つのレバー継手２１で形成されており、これらのレバー継手２１は、ピボット軸受２２を取り付けられており、横方向に延びる間隔保持用部材２０を用いて連結されている。
【００３３】
図６と８は、クランプクリップ１３の実施構成に関する別の代替の実施構成を示す。クランプクリップ１３は、間隔を空けた平行な容器・ブラケット７の間又は間隔を空けた支持リング・ブラケット板８ａの間に延びる、ハンマーヘッド２５を有するロックレバー棒２４で構成されたロック部材２３の形状で形成されている。このロックレバー棒２４自身は、二つのレバー継手２１を連結するピボット軸受２２と接続されており、二つの支持リング・ブラケット板８ａの間を延びている。
【００３４】
図８では、このロックレバー棒２４は、二つの支持リング・ブラケット板８ａの間を延びて、容器・ブラケット７を包囲する、閉じた楕円形状のクランプクリップ２６を形成している。
【図面の簡単な説明】
【００３５】
【図１】容器・ブラケットと、支持リング・ブラケットと、蝶番式固定器を有する容器の側面断面図。
【図２】爪に対して両側に配置された案内壁の平面断面図。
【図３】蝶番式固定器の解除位置を示す図１の側面断面図。
【図４】蝶番式固定器の確実な解除位置を示す図１の側面断面図。
【図５】対の容器・ブラケット板と単一の支持リング・ブラケット板での容器と支持リングの正面断面図。
【図６】対の容器・ブラケット板と対の支持リング・ブラケット板での容器と支持リングの同じ正面断面図。
【図７】単一の容器・ブラケット板と単一の支持リング・ブラケット板での同じ正面断面図。
【図８】単一の容器・ブラケット板と対の支持リング・ブラケット板での正面断面図。
【符号の説明】
【００３６】
１    容器
１ａ  転炉容器
１ｂ  容器壁
２    間隔
３    支持リング
３ａ  上部フランジ
３ｂ  下部フランジ
３ｃ  外側の周回面
４    支持形態
５    容器案内部
５ａ  案内壁
５ｂ  案内部材
６    爪
７    容器・ブラケット
７ａ  側面の輪郭
７ｂ  下方の凹み
７ｃ  側方の間隔
８    支持リング・ブラケット
８ａ  支持リング・ブラケット板
９    蝶番式固定器
１０    固定方向
１１    固定位置
１２    反対の操作方向
１３    クランプクリップ
１３ａ  クランプ継手
１３ｂ  クランプ継手の端部
１４    操作レバー
１４ａ  上方の端部
１５    ロックボルト
１６    解除位置
１７    間隔を空けた容器・ブラケット板
１８    単一の厚い容器・ブラケット板
１９    単一の厚い支持リング・ブラケット板
２０    間隔保持用部材
２１    レバー継手
２２    ピボット軸受
２３    ロック部材
２４    ロックレバー棒
２５    ハンマーヘッド
２６    閉じたクランプクリップ
【図１】
0004624794.tif 000002
【図２】
0004624794.tif 000003
【図３】
0004624794.tif 000004
【図４】
0004624794.tif 000005
【図５】
0004624794.tif 000006
【図６】
0004624794.tif 000007
【図７】
0004624794.tif 000008
【図８】
0004624794.tif 000009